(57)【要約】【課題】歩きやすい使い捨ておむつを提供すること。【解決手段】上記課題は、前身頃及び後身頃を有する外装シートと、前身頃から後身頃にわたるように前記外装シートの内側に設けられた吸収体とを備え、ウエスト開口部および左右一対の足開口部を有する使い捨ておむつにおいて、前記前身頃の前記吸収体よりも幅方向外側において、前記足開口部から前記ウエスト開口部へ向かって延在する、伸長状態で固定された前後方向弾性伸縮部材が設けられ、前記前後方向弾性伸縮部材の収縮により、前記足開口部が前記ウエスト開口部側へ向って持ち上げられる構成とされ、前記前後方向弾性伸縮部材は、前記吸収体のウエスト開口部側端部よりもウエスト開口部側へ延在しているとともに、前記吸収体と交差していないことにより解決される。【選択図】図５
2018051077.tif 000002
【特許請求の範囲】
【請求項１】
前身頃及び後身頃を有する外装シートと、前身頃から後身頃にわたるように前記外装シートの内側に設けられた吸収体とを備え、
ウエスト開口部および左右一対の足開口部を有する使い捨ておむつにおいて、
前記前身頃の前記吸収体よりも幅方向外側において、前記足開口部から前記ウエスト開口部へ向かって延在する、伸長状態で固定された前後方向弾性伸縮部材が設けられ、
前記前後方向弾性伸縮部材の収縮により、前記足開口部が前記ウエスト開口部側へ向って持ち上げられる構成とされ、
前記前後方向弾性伸縮部材は、前記吸収体のウエスト開口部側端部よりもウエスト開口部側へ延在しているとともに、前記吸収体と交差していないことを特徴とする使い捨ておむつ。
【請求項２】
前記使い捨ておむつは、
前記ウエスト開口部より下方のウエスト下部に、前身頃の幅方向に沿って、伸長状態で固定された腰周り弾性伸縮部材が設けられ、
前記腰周り弾性伸縮部材の収縮により、装着者の下腹部に使い捨ておむつを密着させる構成とされ、
前記前後方向弾性伸縮部材は、前記足開口部から少なくとも前記腰周り弾性伸縮部材と交差する位置まで延在しており、
その交差する部分において、前記腰周り弾性伸縮部材が切断されている請求項１記載の使い捨ておむつ。
【発明の詳細な説明】
【技術分野】
【０００１】
本発明は、歩きやすさを向上した使い捨ておむつに関する。
【背景技術】
【０００２】
使い捨ておむつは、前身頃及び後身頃を有する外装シートと、この外装シートの内面に固定された、吸収体を含む内装体と、肌に接触する表面シートとを備える。この使い捨ておむつには、前記外装シートの前身頃と後身頃とが両側部において接合されることにより、ウエスト開口部及び左右一対のレッグ開口部が形成されるパンツ型使い捨ておむつと、外装シートの背側の両側部に設けたファスニングテープを紙おむつの腹側表面に止着することによって着用者に装着するテープ型使い捨ておむつとが知られている。本発明は、前記パンツ型使い捨ておむつとテープ型使い捨ておむつの両方に適用可能なものである。
【０００３】
従来の使い捨ておむつを着用した状態を図６に示した。この使い捨ておむつの足周り２９には、主に足開口に沿う部分に幅方向の伸縮性を与えるための足周り弾性伸縮部材２８が設けられている。詳しくは、前身頃Ｆと後身頃Ｂとを連結する連結側部２１から幅方向中央に向かうにつれて反対の身頃側へ向かうように湾曲しつつ、吸収体１３の両側部と重なる位置まで延在している。そして、それらの足周り弾性伸縮部材２８が、互いに交差することなく前後方向に間隔をおいて複数本配置されている。
【０００４】
なお、使い捨ておむつの足周り２９には、前記とは異なる形態で弾性伸縮部材を配するものもあり、例えば下記特許文献１および２のような使い捨ておむつが開示されている。
【先行技術文献】
【特許文献】
【０００５】
【特許文献１】特許第５０５８２７１号
【特許文献２】特開２０１５−１６５８５２号
【発明の概要】
【発明が解決しようとする課題】
【０００６】
使い捨ておむつを着用したとき、この足周り弾性伸縮部材２８が足周り２９に沿って幅方向に縮むため、着用者の肌面と使い捨ておむつが密着し、尿漏れなどを防ぐことができる。しかし、着用者が歩行のために足を動かすとき、前記弾性伸縮部材２８の収縮方向と、着用者の足が動く方向（使い捨ておむつの前後方向）とが異なり、それら２つの方向は直角に近い角度で交差する。そのため、着用者が歩行時に足を上げることを弾性伸縮部材２８が妨げてしまうという問題がある。また、前記弾性伸縮部材２８は、その収縮によって着用者の足の付け根部分を締め付けるため、足の付け根の動きが不自由になり、この観点からも着用者が足を上げづらいという問題がある。
【０００７】
そこで本発明の主たる課題は、歩きやすい使い捨ておむつを提供することにある。
【課題を解決するための手段】
【０００８】
＜請求項１記載の発明＞
前身頃及び後身頃を有する外装シートと、前身頃から後身頃にわたるように前記外装シートの内側に設けられた吸収体とを備え、
ウエスト開口部および左右一対の足開口部を有する使い捨ておむつにおいて、
前記前身頃の前記吸収体よりも幅方向外側において、前記足開口部から前記ウエスト開口部へ向かって延在する、伸長状態で固定された前後方向弾性伸縮部材が設けられ、
前記前後方向弾性伸縮部材の収縮により、前記足開口部が前記ウエスト開口部側へ向って持ち上げられる構成とされ、
前記前後方向弾性伸縮部材は、前記吸収体のウエスト開口部側端部よりもウエスト開口部側へ延在しているとともに、前記吸収体と交差していないことを特徴とする使い捨ておむつ。
【０００９】
（作用効果）
前後方向弾性伸縮部材の収縮により、前記足開口部が前記ウエスト開口部側へ向って持ち上げられると、着用者の足の前側部分のうち、使い捨ておむつに覆われていない部分の面積が増える。その結果、使い捨ておむつの前身頃が邪魔となって、着用者が足を上げづらいという事態が解消され、歩行が容易になる。特に、使い捨ておむつの足周りに足周り弾性部材が配されている場合であっても、前後方向弾性伸縮部材の収縮に伴って、足周り弾性部材が上方へ引き上げられるため、足周り弾性部材による足の付け根部分の締め付けが緩やかになり、足の付け根が動かしやすく、歩行が容易になる。
【００１０】
また、前後方向弾性伸縮部材が吸収体のウエスト開口部側端部よりもさらにウエスト開口部側へ延在していることで、前後方向弾性伸縮部材が収縮したときに、吸収体のウエスト開口部側端部が外側へ膨らむ。このように、吸収体のウエスト開口部側端部が肌面から離れることにより、男性がその生殖器を吸収体内面に収納しやすくなる。
【００１１】
また、前後方向弾性伸縮部材を吸収体のウエスト開口部側端部よりもさらにウエスト開口部側へ延在させることで、前後方向弾性伸縮部材を吸収体のウエスト開口部側端部まで延在させない場合と比べて、前後方向弾性伸縮部材の全長が長くなるため、足開口部をウエスト開口部側へ向って持ち上げる効果が高くなり、足を上げやすく、歩行が容易になる。    
【００１２】
さらに、前後方向弾性伸縮部材の一部が吸収体と交差している場合、通常は吸収体と重なる部分は切断されてしまうため、前後方向弾性伸縮部材が収縮する部分は、前後方向弾性伸縮部材の全長のうち、足開口部から吸収体との交差部分までになる。他方、前後方向弾性伸縮部材の一部が吸収体と交差していない場合、前後方向弾性伸縮部材が収縮する部分は、前後方向弾性伸縮部材の全長となる。このように、前後方向弾性伸縮部材の一部を吸収体と交差させないことにより、前後方向弾性伸縮部材の無駄を無くすことができる。それとともに、吸収体と重なる部分を切断する手間を省くことができる。
【００１３】
なお、前記「吸収体」の用語は、包装シートを含むものでない。すなわち、前後方向弾性伸縮部材が吸収体と重なっていなければ良く、前後方向弾性伸縮部材が包装シートと重なるような形態にしても良い。
【００１４】
また、使い捨ておむつの前身頃の左側および右側の前後方向弾性伸縮部材が吸収体と重ならないようにする必要がある。すなわち、使い捨ておむつの前身頃の左側および右側のどちらか一方の前後方向弾性伸縮部材が吸収体と重なる形態にしても良い。このような形態にしたとしても、前後方向弾性伸縮部材の無駄を省くことができるという効果が得られるからである。
【００１５】
＜請求項２記載の発明＞
前記使い捨ておむつは、
前記ウエスト開口部より下方のウエスト下部に、前身頃の幅方向に沿って、伸長状態で固定された腰周り弾性伸縮部材が設けられ、
前記腰周り弾性伸縮部材の収縮により、装着者の下腹部に使い捨ておむつを密着させる構成とされ、
前記前後方向弾性伸縮部材は、前記足開口部から少なくとも前記腰周り弾性伸縮部材と交差する位置まで延在しており、
その交差する部分において、前記腰周り弾性伸縮部材が切断されている請求項１記載の使い捨ておむつ。
【００１６】
（作用効果）
前後方向弾性伸縮部材と前記腰周り弾性伸縮部材が交差する部分において、腰周り弾性伸縮部材が切断されていないと、使い捨ておむつの幅方向かつ前後方向に外装シートが収縮するため、その交差部分の剛性が上がり、ごわつきが生じる。前身頃にこのような硬い部分があると、柔らかい場合と比べて、足が上げづらいという問題がある。そこで本発明では、その交差部分において、腰周り弾性伸縮部材を切断することにより、その交差部分を柔らかくして、足を上げやすく、歩行が容易になっている。この切断は、例えば製造時にシャーリングカットを行うことにより、実現することができる。
【００１７】
また、交差部分の腰周り弾性伸縮部材が切断されていない場合、腰周り弾性伸縮部材の収縮に影響を受けて、前後方向弾性伸縮部材の収縮方向が歪んでしまう。このような歪みが生じると、歪みが生じない場合と比べて、足開口部をウエスト開口部側へ向って持ち上げる効果が弱くなるという問題がある。そこで本発明では、その交差部分において、腰周り弾性伸縮部材を切断することにより、そのような歪みの発生を抑えて、足開口部をウエスト開口部側へ向って持ち上げる効果を高めることで、足を上げやすく、歩行が容易になっている。
【００１８】
以上のとおり、本発明によれば、歩きやすい使い捨ておむつを提供することができる。
【図面の簡単な説明】
【００１９】
【図１】本発明にかかる使い捨ておむつを肌面側から見た展開図（一部破断図）である。
【図２】本発明にかかる使い捨ておむつを裏面側から見た展開図である。
【図３】本発明にかかる使い捨ておむつのＡ−Ａ断面を示した矢視図である。
【図４】図１の前身頃の右側部分（着用者から見たとき）の拡大図である。
【図５】本発明にかかる使い捨ておむつを着用した斜視図である。
【図６】従来の使い捨ておむつを着用した斜視図である。
【発明を実施するための形態】
【００２０】
以下、本発明の一実施形態について、添付図面を参照しつつ詳説する。なお、「伸長率」の用語は、自然長を１００％としたときの値を意味する。
【００２１】
図１および図２は、本発明にかかるパンツ式使い捨ておむつ１を示している。この使い捨ておむつ１（以下、単に製品ともいう。）は、前身頃Ｆ及び後身頃Ｂを有する外装シート２０と、この外装シート２０の内面に固定され一体化された内装体１０と、内装体１０の表面に固定された表面シート１１を有する。内装体１０は、裏面側に液不透過性の裏面側シート１２を備え、肌面側に吸収体１３を備えている。
【００２２】
（外装シート）
外装シート２０は、サイドシール部２１を有する縦方向範囲（ウエスト開口から足開口の上端に至る縦方向範囲）として定まる胴周り部Ｔと、足開口を形成する部分の前後方向範囲（前身頃Ｆのサイドシール部２１を有する縦方向領域と後身頃Ｂのサイドシール部２１を有する縦方向領域との間）して定まる足開口部Ｌとを有する。胴周り部Ｔは、概念的にウエスト開口の縁部を形成するウエスト部Ｗと、これよりも下側の部分であるウエスト下方部Ｕとに分けることができる。通常、胴周り部Ｔ内に幅方向伸縮応力が変化する境界（例えば弾性伸縮部材の太さや伸長率が変化する）を有する場合は、最もウエスト開口側の境界よりもウエスト開口側がウエスト部Ｗとなり、このような境界が無い場合は吸収体１３又は内装体１０よりもウエスト開口側がウエスト部Ｗとなる。なお、外装シート２０の平面形状は、中間両側部に夫々足部開口を形成するために形成された凹状の足周りライン２９により、全体として擬似砂時計形状をなしている。そのほか、外装シート２０が足開口部Ｌには存在せず、胴周り部Ｔにのみ存在する形態にしても良い。
【００２３】
外装シート２０は、上層不織布２０Ａと下層不織布２０Ｂからなる２層構造の不織布シートにすることができる。上層不織布２０Ａと下層不織布２０Ｂとの間及び下層不織布２０Ｂをウエスト開口縁で内面側に折り返してなる折り返し部分２０Ｃの不織布の間には各種弾性伸縮部材がそれぞれ配置され伸縮性が付与されている。
【００２４】
（弾性伸縮部材）
外装シート２０の弾性部は、ウエスト開口部近傍に配置されたウエスト部弾性伸縮部材２４と、前身頃Ｆ及び後身頃Ｂに、縦方向に間隔をおいて幅方向に沿って配置された複数の腰周り弾性伸縮部材２５と、足開口部Ｌに配置された足開口部弾性部材２７を有するとともに、これらとは別に、前身頃Ｆ及び後身頃Ｂのそれぞれにおいて、前身頃Ｆと後身頃Ｂとを連結する連結側部２１、２２から幅方向中央に向かうにつれて反対の身頃側へ向かうように湾曲しつつ、内装体１０の両側部と重なる部位まで（又は両側部の近傍まで等、必ずしも重ならなくても良い）延在するとともに、互いに交差することなく間隔をおいて配置された複数本の湾曲弾性伸縮部材２６、２８を備えている。これら、弾性部材２４〜２８は、それぞれその延在方向に沿って所定の伸長率で伸長された状態で固定されている。また、前記各弾性伸縮部材は、外装シート２０の上層不織布２０Ａと下層不織布２０Ｂの間に配され、いずれか一方の不織布２０Ａ、２０Ｂと接合されている形態が通常である。なお、本外装シート２０では、足周りライン２９に沿って前身頃Ｆのサイドシール部から後身頃Ｂのサイドシール部まで連続する、所謂足周り弾性部材は設けられていない。
【００２５】
ウエスト部弾性部材２４は、装着者のウエストを伸縮性をもって締め付けるためのものであり、図示例ではウエスト部Ｗにおける層間に幅方向に沿って伸長状態で取り付けられた糸ゴム等の細長状弾性部材とされており、縦方向に間隔をおいて複数本設けられている。このウエスト部弾性部材２４は、図示例では糸ゴムを用いたが、例えばテープ状の伸縮部材を用いてもよい。また、図示形態のウエスト部弾性部材２４は、ウエスト部におけるバックシート２０Ｂの折り返し部分２０Ｃの不織布間に挟持されているが、押えシート２０Ａとバックシート２０Ｂとの間に挟持しても良い。ウエスト部弾性部材２４は、ウエスト部Ｗの幅方向全体に設けられることが望ましい。
【００２６】
腰周り弾性伸縮部材２５は、おむつを装着者の下腹部や臀部に伸縮性をもって密着させるためのものであり、図示例ではウエスト下方部Ｕにおける層間に幅方向に沿って伸長状態で取り付けられた糸ゴム等の細長状弾性伸縮部材とされており、縦方向に間隔をおいて複数本設けられている。腰周り弾性伸縮部材２５は、ウエスト下方部Ｕのうち少なくとも吸収体１３の幅方向中間部の幅方向両側に設けられ、側縁はサイドシール部２１まで設けられることが望ましい。
【００２７】
足開口部弾性部材２７は、主に脚開口に沿う部分に幅方向の伸縮性を与えるためのものであり、図示例では脚開口部Ｌにおける層間に幅方向に沿って伸長状態で取り付けられた複数本の糸ゴム等の細長状弾性部材とされており、縦方向に間隔をおいて複数本設けられている。足開口部弾性部材２７は、足開口部Ｌのうち少なくとも吸収体１３の幅方向中間部の幅方向両側に設けられ、側縁は足開口縁２９まで設けられることが望ましい。
【００２８】
外装体２０における胴周り部Ｔから脚開口部Ｌにわたる範囲には、ウエスト部弾性部材２４、腰周り弾性部材２５、脚開口部弾性部材２７とは別に、糸ゴム等の細長状弾性部材からなる湾曲弾性部材２６、２８が所定の曲線に沿って配置されている。湾曲弾性部材２６は、一本であっても良いが複数本であるのが好ましく、図示例では４本の糸ゴム等の細長状弾性部材であり、これら湾曲弾性部材２６、２８は互いに交差することなく、間隔をおいて配置されている。この湾曲弾性部材２６、２８は、２，３本程度の弾性部材を間隔を密にして実質的に一束として配置される他、所定の伸縮ゾーンを形成するように３〜２０ｍｍ、好ましくは６〜１６ｍｍ程度の間隔を空けて、３本以上、好ましくは４本以上配置される。
【００２９】
弾性部材２４〜２８の取付時の伸長率は適宜定めることができるが、通常の成人用の場合、ウエスト部弾性部材２４は１６０〜３２０％程度、ウエスト下方部弾性部材２５及び脚開口部弾性部材２７は１６０〜３２０％程度、湾曲弾性部材２６，２８は２３０〜３２０％程度とすることができる。
【００３０】
（内装体）
内装体１０は、裏面側に設けたポリエチレン等からなる液不透過性裏面側シート１２と、その液不透過性裏面側シート１２の肌面側に吸収体１３を備えた構造をしており、排泄液を吸収保持するものである。
【００３１】
吸収体１３の裏面側（非肌面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００３２】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、長方形状とする他、背側及び腹側に対して股間部の幅が狭い砂時計形状（括れ形状）とすることもできる。
【００３３】
（表面シート）
吸収体１３の表面側（肌面側）を覆う表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００３４】
（立体ギャザー）
内装体１０の両側部には足周りにフィットする立体ギャザーＢＳが形成されているのが好ましい。立体ギャザーＢＳは、立体ギャザーシート１５の内側側部に、伸長状態で弾性伸縮部材１６が固定されることにより形成される。そして、使用状態においてこの弾性伸縮部材１６が収縮することにより、立体ギャザーＢＳの内側側部が起立する。
【００３５】
ギャザー不織布としては、折返しによって二重シートとした不織布が好適に用いられ、吸収体１３の側縁部をさらにその上側から巻き込んで吸収体１３の裏面側まで延在して接着されている。より具体的には、立体ギャザーシート１５は、使い捨ておむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００３６】
二重シート不織布によって形成された立体ギャザーシート１５の内部には、起立先端側部分に複数本の立体ギャザー弾性伸縮部材１６が配設されている。立体ギャザー弾性伸縮部材１６は、製品状態において、弾性伸縮力により吸収体１３側縁部より突出する不織布部分を起立させて立体ギャザーＢＳを形成するためのものである。
【００３７】
液不透過性裏面側シート１２は、二重シート状の立体ギャザーシート１５の内部まで進入し、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３８】
弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、伸長率は１５０〜３５０％、間隔は１０．０ｍｍ以下として配設するのがよい。なお、伸長率は伸長時の長さ／自然長×１００で算出した値であり、糸状弾性伸縮部材に代えて、ある程度の幅を有するテープ状弾性伸縮部材を用いるようにしてもよい。
【００３９】
前述の立体ギャザーシート１５を構成する素材繊維も前後漏れ防止シート２と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに立体ギャザーシート１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００４０】
（前後方向弾性伸縮部材３）
本発明では、歩行を容易にするために、使い捨ておむつ１の前身頃Ｆに前後方向弾性伸縮部材３を配している。この前後方向弾性伸縮部材３は、足開口部を起点として、ウエスト開口部へ向かって延在するように配されている。
【００４１】
図示した形態では、足周りライン２９のうち、吸収体１３の幅方向端部とサイドシール部２１の間の中間部分に前後方向弾性伸縮部材３の起点を設けている。この起点の位置は、吸収体１３の近くに寄りすぎたり、サイドシール２１の近くに寄りすぎたりすることは好ましくない。着用者の足の前側部分のうち、使い捨ておむつに覆われていない部分の面積を増やし、着用者の足を上げやすくするという目的からすると、着用者の足（ここでは片足を意味する）のうち、その中央部分を持ち上げることが、最も効果的だからである。そのため、吸収体１３の幅方向端部とサイドシール部２１の間を幅方向に３分割したときの真ん中１／３の範囲に設けることが好ましく、吸収体１３の幅方向端部とサイドシール部２１の間を幅方向に２分割したときの真ん中に設けることがより好ましい。また、前後方向弾性伸縮部材３の起点は、足開口部であれば良く、必ずしも使い捨ておむつの下端である必要はない。すなわち、使い捨ておむつ１の下端よりも少しウエスト側の位置を起点としても良い。
【００４２】
次に、前後方向弾性伸縮部材３の延在方向についてであるが、幅方向内側に向かうようにすることが好ましい。歩行のために着用者が足を上げるとき、幅方向内側に向かって上げるのが一般的であるからである。具体的には、前後方向弾性伸縮部材３の起点Ｇを通るように、使い捨ておむつ１の前後方向と直角の方向に基準線Ｈを設け、その基準線Ｈのうちの幅方向内側部分を０度としたときに、基準線Ｈと前後方向弾性伸縮部材３との間の角度Ｉが、約６５度〜８５度の範囲に収まるようにするのが好ましい。しかし、本発明はこのような形態に限られるものではなく、最良の形態ではないが、前後方向弾性伸縮部材３を幅方向と直角の方向に延在させたり（前後方向に延在させたり）、幅方向外側へ向かって延在させることもできる。
【００４３】
図示形態では、前後方向弾性伸縮部材３を腰周り弾性伸縮部材２５と交差する位置まで延在している。具体的には、複数の腰周り弾性伸縮部材２５のうち、ウエスト側に位置する腰周り弾性伸縮部材２５まで延在している。このように前後方向弾性伸縮部材３をウエスト側近くまで延在させることで、前後方向弾性伸縮部材３の前後方向の距離が長くなり、足開口部をウエスト開口部側へ向ってより強力に持ち上げることができる。
【００４４】
なお、前後方向弾性伸縮部材３は、前身頃Ｆの左側と右側の両方に設けることが好ましい。そして、足開口部からウエスト開口部側へ向って前後方向弾性伸縮部材３が延在した後に、ウエスト開口部側において、前身頃Ｆの左側に位置する前後方向弾性伸縮部材３と右側に位置する各前後方向弾性伸縮部材３を繋げるために、前後方向弾性伸縮部材３を幅方向内側へ向かって延在させることが好ましい。このように、前後方向弾性伸縮部材３を前身頃Ｆの左側から中央を通って右側へ移動する１本の線のようにすることで、製造時に前後方向弾性伸縮部材３を設けることが容易になる。前後方向弾性伸縮部材３をこのように配置した場合、例えば、前身頃Ｆの左側に位置する足開口部を前後方向弾性伸縮部材３の起点とし、右側に位置する足開口部を前後方向弾性伸縮部材３の終点とすることができる。なお、前記起点および終点の用語は、前後方向弾性伸縮部材３の配置位置を説明するために便宜的に用いたものであり、前後方向弾性伸縮部材３の製造時に、この用語のとおりに製造することを意味するものではない。
【００４５】
前記のように、前身頃の吸収体１３の周囲（吸収体１３の上方、左方、右方）を取り囲むように、前後方向弾性伸縮部材３を配置することで、その前後方向弾性伸縮部材３が収縮したときに、吸収体１３のウエスト側部分（吸収体１３の上部）が肌面から離れて膨らむため、男性の生殖器を収納しやすくなるという利点がある。この効果は、吸収体１３の左方および右方だけに前後方向弾性伸縮部材３を配置したときにも生じるが、吸収体１３の上方にも配置することで、より顕著に膨らむため、その効果が高くなる。
【００４６】
また、前後方向弾性伸縮部材３は、前後方向に所定の間隔を空けて複数設けることが好ましい。具体的には、１ｍｍ〜１０ｍｍ程度の間隔を空けることが好ましい。複数設けることで、足開口部をウエスト開口部側へ向ってより強力に持ち上げることができる。このとき、各前後方向弾性伸縮部材３は、互いに交差しないように平行に設けることが好ましい。すなわち、複数の前後方向弾性伸縮部材３のうち、起点の位置がウエスト開口部の幅方向外側に位置する前後方向弾性伸縮部材３ほど、ウエスト開口部側へ向ってより長く延在する。反対に、起点の位置がウエスト開口部の幅方向内側に位置する前後方向弾性伸縮部材３ほど、ウエスト開口部側へ向ってより短く延在することになる。
【００４７】
前後方向弾性伸縮部材３の素材としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、前後方向弾性伸縮部材３の取付時の伸長率は適宜定めることができるが、通常の成人用の場合は１６０〜３２０％程度とすることができる。
【００４８】
腰周り弾性伸縮部材２５と前後方向弾性伸縮部材３の交差する部分は、その交差部分において、腰周り弾性伸縮部材２５が切断されている形態にすることが好ましい。図示形態では、前後方向弾性伸縮部材３が、足開口部からウエスト開口部側へ向って前後方向（前身頃の場合は前方向）に延在しており、その前後方向の延在部分が、腰周り弾性伸縮部材２５と交差し、この交差部分で腰周り弾性伸縮部材２５が切断されている。この交差部分のすべてを切断しても良いが、その一部分のみを切断しても良い。詳しくは、その交差部分の半分以上の箇所を切断することが好ましく、交差部分の２／３以上の箇所を切断することが好ましい。また、足開口部を持ち上げる効果を高めるため、複数の交差部分のうち、ウエスト開口部側よりも足開口部に近い側を切断することが好ましい。なお、腰周り弾性伸縮部材２５を切断するとは、製造時において、外装シートに腰周り弾性伸縮部材２５を伸長状態で固定した後、交差部分を切断する形態（シャーリングカットを行う形態）を含むことはもちろんのこと、予め短めに切断した腰周り弾性伸縮部材２５を、前後方向弾性伸縮部材３と交差しないように、外装シートに固定する形態も含むものである。
【００４９】
なお、前記の説明では、腰周り弾性伸縮部材２５と前後方向弾性伸縮部材３の交差する部分について述べたが、前後方向弾性伸縮部材３は、前記足開口部弾性部材２７や前記湾曲弾性部材２６、２８とも交差する。そのため、その交差部分において、足開口部弾性部材２７や湾曲弾性部材２６、２８も同様に切断することが望ましい。これにより、足開口部をよりウエスト開口部側へ持ち上げることができる。
【００５０】
以上の説明では、前後方向弾性伸縮部材３を前身頃Ｆに設けた場合について述べてきたが、前身頃Ｆと同様の形態で後身頃Ｂに設けても良い。後身頃Ｂに設けることにより、後身頃Ｂの足周り弾性部材がウエスト開口部側へ持ち上げられるため、足周り弾性部材による足の付け根部分の締め付けが緩やかになり、足の付け根が動かしやすく、歩行が容易になる。
【００５１】
また、従来の使い捨ておむつは、排尿したときに吸収体１３の重量が増えてズレ下がりやすくなる。そのため、使い捨ておむつの足周り部分と着用者の肌面との間に隙間が生じ、その隙間から尿漏れが生じやすい。そこで、本発明のように前後方向弾性伸縮部材３を収縮させて、足開口部をウエスト開口部側へ持ち上げることで、このような隙間の発生を防ぎ、尿漏れの発生を抑えることができる。
【００５２】
また、従来の使い捨ておむつを装着する際、着用者の足先と使い捨ておむつの足周り部分がぶつかりやすく、装着のしづらさに繋がっている。そこで、本発明のように前後方向弾性伸縮部材３を収縮させて、足開口部をウエスト開口部側へ持ち上げることにより、ウエスト開口部端縁から足開口部端縁までの距離が短くなるため、使い捨ておむつを装着しやすくなる。
【００５３】
なお、本発明では、先行技術文献の特許文献２のように、ウエスト開口部側から足開口部側へ向かって延在する前後方向弾性伸縮部材３を設けていない。このような逆方向に延在する前後方向弾性伸縮部材３を設けると、本発明の足開口部からウエスト開口部側へ向かって延在する前後方向弾性伸縮部材３の収縮力が打ち消されてしまうためである。
【００５４】
また、本発明では、前記特許文献２のように、腰周り弾性伸縮部材２５を斜めに傾斜するように配置していない。すなわち、腰周り弾性伸縮部材２５が、前身頃Ｆおよび後身頃Ｂの幅方向両端部間を幅方向に沿って直線状に延在する構成にしている。そして、この２５とは別の部材として、足開口部から吸収体１３のウエスト開口部側端部よりもウエスト開口部側へ延在する前後方向弾性伸縮部材３を設けている。特許文献２のように、多数の腰周り弾性伸縮部材２５をウエスト端部側または足開口部側へ傾斜させて設けると、使い捨ておむつの製造方法が極めて複雑になり、不良品が生じやすい。そこで、本発明では、腰周り弾性伸縮部材２５は製造が容易な直線状とし、前後方向弾性伸縮部材３を複数本設けることで、構造をシンプルにして、製造を容易にしている。
【００５５】
また、腰周り弾性伸縮部材２５は複数本設けられ、各腰周り弾性伸縮部材２５、２５が前後方向に所定の間隔を空けて配置されており、それらは互いに交差することなく配置されている。特許文献２のように、複数の腰周り弾性伸縮部材２５、２５を複雑に交差する網目状にすると、各腰周り弾性伸縮部材２５の収縮が互いに干渉し、本来望んでいた方向と異なる方向に収縮する可能性が高く、本来得ようとしていた効果が得づらくなる。また、その交差部分の剛性が高く、硬くなるため、着用者が不快感を受けやすい。本発明では、腰周り弾性伸縮部材２５を交差させないことで、そのような不都合の発生を防いでいる。
【００５６】
（その他）
図示形態では、前身頃の外装体の両側縁部と後身頃の外装体の両側縁部とが接合されてサイドシール部２１が形成されることにより、ウエスト開口部及び左右一対の足開口部が形成されパンツ型使い捨ておむつについて述べてきたが、本発明はテープ型使い捨ておむつに用いることもできる。しかし、前後方向弾性伸縮部材３が収縮すると、テープが止めづらくなるため、パンツ型使い捨ておむつのほうが適している。
【符号の説明】
【００５７】
１：使い捨ておむつ、２：前後漏れ防止シート、３：前後漏れ防止シート弾性伸縮部材、１０：内装体、１１：表面シート、１２：液不透過性裏面側シート、１３：吸収体、１４：包装シート、１５：立体ギャザーシート、１６：立体ギャザー弾性伸縮部材、２０：外装シート、２１・２２：側部接合縁、２４：ウエスト部弾性伸縮部材、２５：腰周り弾性伸縮部材、２６：背側湾曲弾性伸縮部材、２７：足開口部弾性部材、２８：腹側湾曲弾性伸縮部材、２９：足周りライン、Ｆ：前身頃、Ｂ：後身頃、ＢＳ：立体ギャザー、Ｋ：（各弾性伸縮部材の）切断部分
【図１】
2018051077.tif 000003
【図２】
2018051077.tif 000004
【図３】
2018051077.tif 000005
【図４】
2018051077.tif 000006
【図５】
2018051077.tif 000007
【図６】
2018051077.tif 000008